(57)【特許請求の範囲】
【請求項１】
少なくとも１枚のカーカスと、前記カーカスのタイヤ径方向外側に配置された少なくとも１枚のベルトと、前記ベルトのタイヤ径方向外側のトレッド部と、を備えた二輪車用タイヤであって、
前記トレッド部には、トレッド端部に配置され、トレッド端からの展開幅がトレッド展開幅の５〜１４％の範囲内とされ、タイヤセンター側に隣接するセンター側ゴム部に比べてショアＡ硬度の低い軟質ゴム部と、
トレッド端からの展開幅がトレッド展開幅の２５％以下となる範囲の少なくとも一部に配置され、前記ベルトのタイヤ径方向外側に隣接し、前記軟質ゴム部及び前記センター側ゴム部よりも損失正接ｔａｎδが小さい低損失正接ゴム部と、が形成され、
前記軟質ゴム部と前記低損失正接ゴム部との間に、前記センター側ゴム部が介在していることを特徴とする二輪車用タイヤ。
【請求項２】
前記軟質ゴム部の厚みが、前記トレッド部の平均厚みの２０％以上８０％以下の範囲内であることを特徴とする請求項１に記載の二輪車用タイヤ。
【請求項３】
トレッド端からトレッド展開幅の１０％以下の範囲におけるトレッドゴムの平均厚みが、トレッド端を基準としたトレッド展開幅の１０％以上２５％以下の範囲におけるトレッドゴムの平均厚みよりも薄いことを特徴とする請求項２に記載の二輪車用タイヤ。
【請求項４】
前記トレッド部のトレッドセンター部の少なくとも一部では、厚さ方向に２種以上のゴム層が形成され、
前記センター側ゴム部が前記トレッドセンター部におけるトレッド表面側のゴム層を形成していることを特徴とする請求項１〜３のうち何れか１項に記載の二輪車用タイヤ。
【請求項５】
前記トレッド部のトレッドセンター部の少なくとも一部では、厚さ方向に２種以上のゴム層が形成され、
前記低損失正接ゴム部が前記トレッドセンター部における最内層のゴム層を形成していることを特徴とする請求項１〜４のうち何れか１項に記載の二輪車用タイヤ。
【請求項６】
前記少なくとも１枚のベルトとして、タイヤ赤道に対して５度以下のコード角度をなすスパイラルベルトを備えたことを特徴とする請求項１〜５のうち何れか１項に記載の二輪車用タイヤ。
【請求項７】
前記スパイラルベルトのタイヤ径方向外側に、タイヤ赤道に対するコード角度が８０度以上９０度以下であって、損失正接ｔａｎδが前記軟質ゴム部及び前記センター側ゴム部よりも小さいゴムでコーティングされた幅広ベルト層を有することを特徴とする請求項６に記載の二輪車用タイヤ。
【請求項８】
前記スパイラルベルトと前記幅広ベルト層との間の少なくとも一部に、厚みが０．３ｍｍ以上３ｍｍ以下で、損失正接ｔａｎδが前記軟質ゴム部及び前記センター側ゴム部よりも小さい緩衝ゴム層が設けられたことを特徴とする請求項７に記載の二輪車用タイヤ。
【発明の詳細な説明】
【技術分野】
【０００１】
本発明は、二輪車用タイヤに関し、更に詳細には、耐摩耗性と旋回性能との両者を向上させた二輪車用タイヤに関する。
【背景技術】
【０００２】
自動二輪車は、旋回する際には車体が傾けられる。そのため、車体の傾きによって、路面に接地するタイヤの部分が移動する。また、車体の直立時では速度が高く、制動力と駆動力によって車体前後方向（タイヤの赤道方向）の力がタイヤに加わるが、車体を傾けた旋回時には大きな横力が主体的に加わる。そのため、タイヤのトレッドショルダー部には、良好な横グリップ性が求められる。
【０００３】
タイヤのセンター部に対しては、市販のタイヤでは、直進走行の頻度が高いことを考慮して、耐摩耗性の高いゴムを用いることが多い。またレースや競技用のタイヤにおいては、直進時の速度が非常に高いため、発熱しにくいゴムをトレッドセンター部に配置したり、トレッドセンター部を２層構造として内部に発熱しにくいゴムを配置し外部にグリップ性能の高いゴムを配置したりするなどの工夫がなされている。
【０００４】
トレッドショルダー部についても、トレッド部の発熱が問題となる。発熱はゴムに繰り返し加わる歪が大きいほど高く、回転速度が速いほど高い。特に、バイクレースや、一般消費者による激しいライディングを行った時には、ショルダー部に大きな入力が加わること、及び、比較的速い速度で旋回することにより、トレッドショルダー部が発熱する。ゴムは発熱すると軟化する性質があるため、軟化してトレッド剛性が低下することで、走行に伴って旋回性能が低下したり、あるいは、ショルダー部の摩耗が進んだり、ショルダー部のゴムが劣化したりする。
【０００５】
一方、ゴムの弾性率の指標である動的弾性率（Ｅ’）が小さいとゴムが柔らかいことを意味する。柔らかいゴムは路面の凹凸に食い込むためグリップ性能が高い。一方で、柔らかいゴムには摩耗速度が早いという特性がある。また柔らかいゴムでは変形が大きく、歪が大きいため、発熱しやすいという特性もある。ゴムの柔らかさは、硬度、すなわちショアＡ硬度で示すこともできる。ショアＡ硬度の小さいゴムは、柔らかく、グリップ性能が高い反面、発熱性が高く、耐摩耗性が劣るという特性を有する。
【０００６】
また、発熱し易さの指標として、損失正接ｔａｎδが知られている。ｔａｎδが高いゴムは同じ歪を同じ周期で受けても、発熱しやすい。
【０００７】
これらの特性と、二輪車が車体を傾けて旋回するという特性を持つこと、及び、二輪車が路面に接地するトレッド部位が車体の傾きによって移動するという特性を持つこと、とを考慮して、二輪車のトレッド部には複数の異なるゴムを用いることがある。例えば、特許文献１、２には、タイヤのセンター部とショルダー部とでゴム物性を変更することが開示されている。また、特許文献３、４には、タイヤの厚み方向についてゴム物性を変更することが開示されている。これらの特許文献では、トレッドショルダー部のゴムの配置形態を変更して旋回性能の向上を図ることが開示されている。
【０００８】
しかし、トレッドショルダー部の耐摩耗性の向上と旋回性能の向上とを効率的に両立させたタイヤが求められている。
【０００９】
なお、特許文献４では、トレッド端部からトレッド幅（正確にはトレッド部のペリフェリ方向幅）の１５％〜３０％の範囲に柔らかいゴムを配置することを規定している。
【００１０】
しかし、トレッド端を起点としてトレッド幅の１６％以上の領域に柔らかいゴムを配置すると、摩耗が非常に早く進んでしまう。そのため、トレッド端部で偏摩耗が発生し、操縦安定性能が摩耗と共に損なわれる。
【００１１】
また、このタイヤを一般のタイヤとして用いた場合には、摩耗が進むにつれて加速時にタイヤが横滑りしやすく、しかもトレッドショルダー部の一部の摩耗が進むため溝が部分的に消えてしまい、消費者からは耐摩耗性能の乏しいタイヤとの評価を受けやすい。
【００１２】
更に、このタイヤをレースなどのバイク競技用に用いた場合、レース距離を走破する途中で、トレッド端部から１６％〜３０％の領域の柔らかいゴムが早期に摩耗し、内部から硬いゴムが現れる。このため、レースの初期では高いグリップ性を発揮できるが、レースの中期、後期でグリップ性を失い、１レースを通して安定したグリップ性能を維持することができなくなる。
【特許文献１】特開２０００−１５８９１０号公報
【特許文献２】特開平７−１０８８０５号公報
【特許文献３】特開２００６−７６３５５号公報
【特許文献４】特開２００５−２７１７６０号公報
【発明の開示】
【発明が解決しようとする課題】
【００１３】
本発明は、上記事実を考慮して、トレッドショルダー部の耐摩耗性の向上と、横グリップ性を向上させることによる旋回時の操縦安定性の向上と、を両立させた二輪車用タイヤを提供することを課題とする。
【課題を解決するための手段】
【００１４】
本発明者は、本発明を完成するにあたり、以下の検討を行った。
二輪車用タイヤでは、二輪車が車体を傾けて旋回することから、直進時と旋回時とでは、トレッド部が地面と接する場所が異なる。つまり、直進時にはトレッド部の中央部分を使い、旋回時にはトレッド部の端部を使う特徴がある。そして、旋回時にはタイヤの横方向（幅方向）に対してグリップすることが求められる。二輪車を速く旋回させるには、旋回速度にともなって大きくなる遠心力と釣り合わせるために車体を大きく倒す必要があり、さらにその遠心力に対抗できるようにタイヤがグリップできなければならない。つまり、車体を大きく傾けたときのタイヤのグリップ力が不足する場合は、速く旋回できないことになるため、ここでのグリップ性能が旋回性能に及ぼす影響が非常に大きい。
【００１５】
本発明者は、更に、旋回時のグリップ性を向上させるために詳細な研究を行った。特にバイク車輌が最も倒れるバンク角度（キャンバー角度）４５〜５０度付近でのグリップ性を集中的に向上させることに取り組んだ。これは、例えばレースにおいては旋回速度が非常に重要であり、旋回速度が速ければコーナーの次のストレートでの速度も速くなり、結果的にラップタイムが向上するからである。また、一般道路においても旋回時のグリップ力を増すことは安全性に貢献できる。
【００１６】
そして、本発明者は、自動二輪車用のタイヤで車体を大きく倒した場合の旋回性能について以下の検討を行った。
【００１７】
バイク車体を大きく倒して旋回する場合、図７のような接地状態となって、タイヤのトレッドの片側の端部が接地してグリップ力を発生させている。すなわち、タイヤのキャンバー角（以下、キャンバーアングルとしてＣＡと記す）が４５〜５５度で旋回する場合、タイヤのトレッド幅（全幅）のほぼ１／４の領域が接地する。接地しているこの領域を３等分し、トレッド端部から領域Ａ、領域Ｂ、領域Ｃとする。
【００１８】
以下、タイヤの幅方向断面でのトレッド変形を検討する。トレッド部の変形によってタイヤに横力が発生するからである。横方向（幅方向）のトレッド部の変形はキャンバースラスト（横力）を発生させる。
【００１９】
図７はＣＡ５０度でタイヤが接地して回転しているときの断面を示したものである。断面の下には接地部の形状を示した。タイヤの寸法等によっては、接地形状は楕円の一部が欠けた形状であったり、半月状（図８参照）であったりする。
【００２０】
図７に示した楕円型接地形状の領域Ｂのトレッド部分の幅方向変形について述べる。領域Ｂのタイヤ幅方向中央位置でトレッド表面すなわち路面に接する位置をＱ点とし、Ｑ点の内側でトレッド部の最深部をＰ点とする。図７には、接地転動時におけるＰ点の軌跡、及び、Ｑ点の軌跡が示されている。Ｐ点はトレッド部がタイヤのベルト（骨格部材）に接している点であり、タイヤがＣＡをつけて傾いて転動するため、Ｐ点の軌跡は弓なりの曲線を描く。これに対して、Ｑ点はトレッド表面が路面に接触した時に路面に固定されるため、路面の方向に、すなわちタイヤの進行方向に直線的に動く。従って、Ｑ点の軌跡は直線を描く。
【００２１】
このようにＰ点の軌跡とＱ点の軌跡との差によって、トレッド部が横剪断を受ける。丁度、弓と弦の関係であり、荷重直下で最大の横剪断量を受ける。この横剪断量によってトレッド部が横方向（幅方向）に変形するため、横力（キャンバースラスト）が発生する。このようなキャンバースラスト発生の仕組みから、接地長（接地形状の周方向長さ、すなわち赤道方向の長さ）が長い方が、Ｐ点とＱ点とで軌跡の差が広がり、トレッド部が大きなせん断力を受ける。接地長が短いと、トレッド部が受ける剪断量（横方向すなわちタイヤ幅方向の剪断量）は少ない。
【００２２】
図７に示すように、接地形状が楕円型の場合には、領域Ｂでの横剪断量が最も大きく、次いで領域Ａでの横剪断量が大きく、領域Ｃでの横剪断量は少ない。なお、図７に、領域Ａの中央での回転半径をＲＡ、領域Ｃの中央での回転半径をＲＣとして示す。図８に示すように、接地形状が半月型の場合は、領域Ｂと領域Ａとで大きな横剪断量を受け、領域Ｃでの横剪断量は少ない。つまり、ＣＡが４５度〜５５度である大ＣＡ時の旋回では、領域Ｂや領域Ａが横力を大きく稼ぐ部位である。
【００２３】
一方、バイクの傾き角（バンク角、ＣＡ）を観察すると、ＣＡが４５度〜５５度以上にはバイクは倒れない。つまり、領域Ａは、バイクが最大角度で傾いた時のみに接地する領域である。また、領域Ｂについても、バイクが大きく傾いた時を中心に使われる。一方、領域Ｃは、バイクが大きく傾いてからやや傾きが戻った領域、つまりＣＡが４０度近辺で、特によく使われる部分である。つまり、領域Ｃは、バイクを傾けていく過程で使い、更に大きく倒した時も使い、さらにバイクを加速させて直立する過程でも使う。特に、摩耗の大きいリアタイヤについて考えると、この領域Ｃは、バイクを大きく倒して、そこから加速するときに使う領域であり、すなわちＣＡ４０度近辺でバイクは大きな駆動力を伝えることが多いため、領域Ｃは加速時の前後方向の駆動入力と、横方向の横入力の両方を頻度高く受ける領域と言える。そのため、この領域Ｃは、トレッド部の摩耗が進む部位である。
【００２４】
領域Ａ〜Ｃについてまとめると以下のようになる。
領域Ａ：最大ＣＡ（４５度〜５５度）の時にのみ使用され、横入力を受ける。最大ＣＡ時での横グリップ力の発生に大きく寄与する（特に接地形状が半月形状の場合）。
領域Ｂ：最大ＣＡ（４５度〜５５度）の時に主体的に使う。最大ＣＡ時での横グリップ力の発生に大きく寄与する（特に接地形状が楕円形状の場合）。最大またＣＡ４０度の時にも接地しており、領域Ａよりは使用頻度が高い。
領域Ｃ：最大ＣＡ（４５度〜５５度）の時にも使われる。さらに、最大ＣＡに達する過程で使われ、特にリアタイヤの場合は、ＣＡ４０度の本格加速開始時点で中心的に使われるため、摩耗が激しい部位となる。領域Ａや領域Ｂと比べると明らかに使用頻度が高い。また、ＣＡが４０度の時には、接地形状の中心となり、接地長が伸びるため、横方向の剪断量も大きくなり、摩耗に厳しい。
【００２５】
また、二輪タイヤのキャンバースラスト発生のしくみの特性から、もう１点特徴的なことがある。図７に示したＰ点の軌跡とＱ点の軌跡との差がトレッドの横変形量であるが、この横変形量は一定の変位である。つまり、この軌跡は、タイヤの幾何学的なもので決まるため、最大の横剪断量は一定の量となる。通常のタイヤで、大ＣＡ時における領域Ｂの最大の横剪断量は７ｍｍ程度である。そのため、トレッド部のゴムが硬くても柔らかくても、横剪断量は一定の７ｍｍ程度である。つまり、トレッドゴムが柔らかいと、変位は一定のため、トレッド部を変形させる力が少なくて済む（すなわち発生する横力が小さい）。逆に、トレッド部のゴムが硬いと、トレッド部を一定量だけ横変形させるのに大きな力を要する、すなわち、発生する横力（キャンバースラスト）が大きくなる。つまり、キャンバースラスト（横力）は、トレッド部の剛性（トレッドゴムの弾性率、硬度）によるところが大きい。
【００２６】
しかしながら、実際は硬いゴムは路面の細かい凹凸に食い込みにくく、その結果、摩擦係数が小さく滑りやすい。このため、ゴムが硬すぎるとトレッド表面が滑ってしまうので、変位量が減ってしまい横力が出なくなる。
【００２７】
本発明者は以上のような検討を行うとともに実験を重ねて更に検討を加え、本発明を完成するに至った。
【００２８】
請求項１に記載の発明は、少なくとも１枚のカーカスと、前記カーカスのタイヤ径方向外側に配置された少なくとも１枚のベルトと、前記ベルトのタイヤ径方向外側のトレッド部と、を備えた二輪車用タイヤであって、前記トレッド部には、トレッド端部に配置され、トレッド端からの展開幅がトレッド展開幅の５〜１４％の範囲内とされ、タイヤセンター側に隣接するセンター側ゴム部に比べてショアＡ硬度の低い軟質ゴム部と、トレッド端からの展開幅がトレッド展開幅の２５％以下となる範囲の少なくとも一部に配置され、前記ベルトのタイヤ径方向外側に隣接し、前記軟質ゴム部及び前記センター側ゴム部よりも損失正接ｔａｎδが小さい低損失正接ゴム部と、が形成され、前記軟質ゴム部と前記低損失正接ゴム部との間に、前記センター側ゴム部が介在していることを特徴とする。
【００２９】
請求項１では展開幅（ペリフェリ方向幅）を用いて規定している。ここで展開幅とは、弧を直線にするように、幅方向に丸みをもつ部位を直線状或いは平面状となるように展開したときの幅を意味する。従って、トレッド展開幅（トレッド部の展開幅）とは、トレッド部の外周に沿った略円弧方向の幅のことであり、トレッド部を展開した状態におけるトレッド端同士の間隔のことである。また、軟質ゴム部の展開幅とは、軟質ゴム部の外周に沿った略円弧方向の幅のことである。
【００３０】
請求項１では、トレッド端部においてトレッド表面とトレッド内部とでゴム種を替え、トレッド表面に柔らかいゴムを配置することを規定している。トレッド表面に柔らかいゴムを配置するのは、柔らかいゴムがアスファルトなどの骨材の細かい凹凸に食い込み、摩擦係数が高くなってグリップ性が良くなるからである。一方、先に述べたように、二輪車のトレッドショルダー部の横変位量は幾何学的に決まっており、全てを柔らかくしてしまうとトレッド部の剪断剛性が低下し、大きな横力を発生させることができなくなる。そのため、トレッド部の表面だけを柔らかくしている。
【００３１】
ショアＡ硬度は、市販の硬度計を用いて計測可能である。例えば、トレッドゴムを切り出し、５０℃に保った高温室に３０分保管してゴムの温度を５０℃にした後に、硬度計で硬度を計測することができる。通常、硬度が高いものは動的弾性率も高い。
【００３２】
請求項１ではこの軟らかさをショアＡ硬度で規定しているが、動的弾性率（Ｅ’）を用いて規定してもよい。動的弾性率は、例えば周波数１５Ｈｚ、歪５％をサイン波でゴムのサンプルに加え、そのときの反力を計測することで測定することができる。この場合、レオメトリックス社製の粘弾性測定装置を用いて、温度５０℃、周波数１５Ｈｚ、歪５％で動的弾性率を計測してもよい。また、特に自動二輪車の競技用のタイヤの場合は、トレッドショルダー部の温度は１００℃を超える場合もあるので、目的に応じて１００℃での動的弾性率Ｅ’を計測して、本発明の動的弾性率としてもよい。請求項１では特に温度を規定していないが、一般の消費者向けのタイヤでは５０℃の動的弾性率を用いることが好ましく、競技用のタイヤでは１００℃以上の動的弾性率を用いることが好ましい。
【００３３】
次に、軟質ゴム部の展開幅についてであるが、トレッド部の展開幅の５〜１４％の範囲内とした根拠は、前出の図７を用いて説明したように、大ＣＡ時でのトレッド部の使われ方に基づく。図７において、大ＣＡ時に接地する領域は、トレッド部の展開幅の１／４つまり２５％の領域である。横力に寄与するのは、図７に示した領域Ａと領域Ｂである。つまり、２５％の約半分程度であり、トレッド端から１２．５％の領域が、横力に寄与している。特に、領域Ａは、ＣＡが４５〜５５度の時にだけ接地する部分であり、大ＣＡ時にのみ大きく横力を発生させる。この領域Ａはトレッド端から８％くらいまでの領域である。
【００３４】
軟質ゴム部の展開幅がトレッド部の展開幅の５％未満である場合、軟質ゴム部がたとえ図７に示した領域Ａに配置されていても、軟質ゴム部の配置されている範囲が狭すぎて効果が少なくなる。このため、５％以上とした。軟質ゴム部の展開幅がトレッド展開幅の１４％を超えている場合、図７に示した領域Ｃ、すなわち、最大ＣＡ時以外にも接地する使用頻度が高い領域にまで軟質ゴム部が配置されていることになり、しかも、ＣＡ４０度で大きな駆動力が加わる領域にまで柔らかいゴムが配置されることになる。このような領域に柔らかいゴム（軟質ゴム部）を配置すると摩耗が進んで耐久性が良くない。軟質ゴム部は、その機能から、大ＣＡ時にのみ主に使われ（使用頻度が少なく）、かつ、横グリップ性に寄与する部位に配置することが好ましい。このため、１４％以内とした。なお、このような観点で、５〜１４％のうち８〜１２．５％の範囲としたほうがさらに好ましい。
【００３５】
また、請求項１では、ショアＡ硬度についての軟質ゴム部の比較対象を、軟質ゴム部のタイヤセンター側に配置されているセンター側ゴム部としている。軟質ゴム部のセンター側に隣接するセンター側ゴム部は、図７の領域Ｃに相当する部分、つまりＣＡ４０度で加速時に使われる厳しい耐磨耗性が要求されるゴム部である。軟質ゴム部は、このセンター側ゴム部と比べて柔らかいことが必要である。なお、ＣＡ４０度でタイヤの接地中心になるのは図７の領域Ｃであり、この領域Ｃは、トレッド端を基点とするとトレッド端から１６％〜２５％程度の領域である。この部分に柔らかいゴム（軟質ゴム部）を配置してしまうと、加速時の厳しい入力によって表面のゴムが早期に摩耗してしまう。
【００３６】
更に、請求項１では、軟質ゴム部及びセンター側ゴム部とはゴム種が異なる低損失正接ゴム部が配置されている。この低損失正接ゴム部は、トレッド端からの展開幅がトレッド展開幅の２５％以下となる範囲の少なくとも一部に、ベルトのタイヤ径方向外側に隣接するように配置されている。そして、この低損失正接ゴム部の損失正接ｔａｎδは、軟質ゴム部及びセンター側ゴム部に比べて小さい。
【００３７】
ｔａｎδが小さいと発熱を小さくすることができる。トレッドショルダー部は、トレッド部が大きく変形して歪が大きくなる部位である。そのため、発熱が大きくなりやすい。特に本発明のように、表面に柔らかいゴム（軟質ゴム部）を配置すると、柔らかいゴムに生じる歪が大きく、発熱が増える。そこで、請求項１では、ベルトに隣接するトレッド部の最内層側にｔａｎδの低い別のゴムを配置し、内部の発熱量を低減することでトレッド全体の発熱量を低下させている。特に、ベルトに接するトレッド内部の部分は、タイヤ表面から深い部分であり、熱が発生しても熱が逃げにくく、トレッド表面よりも温度が高くなりやすい。この部分に、発熱しにくいゴムとして低損失正接ゴム部を配置すると、トレッドショルダー部（トレッドのショルダー部）の温度を低くすることができる。
【００３８】
ゴムは発熱すると軟化する性質があり、ゴムが軟化するとトレッド剛性が理想の設定よりも柔らかくなりすぎて、横力が得られなくなる。本発明のように、トレッドの表面に柔らかいゴムを配置した場合は特に、柔らかくなりすぎると、横力が得られなくなり、タイヤが横滑りして摩耗が促進する恐れがある。内部にｔａｎδの低いゴムを配置することで、長時間の厳しい旋回走行をしてもトレッドショルダー部の異常発熱を防止できて、安定した走行が可能となる。
【００３９】
以上説明したように、請求項１では、大ＣＡ時にのみ使う部位、さらには、トラクションではなく横力のみを発生させる部位に柔らかいゴム（軟質ゴム部）を配置している。これにより、使用頻度は低いが横グリップ性に大きく寄与する部位のみを対象として軟質ゴム部を配置することができ、耐摩耗性の維持とグリップ性能の向上とを両立させた二輪車用タイヤとしている。
【００４０】
更に、請求項１では、内部にｔａｎδの低い低損失正接ゴム部を配置しており、トレッドショルダー部のゴムが高温になってトレッド剛性が低下することを防止している。
また、請求項１では、軟質ゴム部と低損失正接ゴム部との間にセンター側ゴム部が介在している。このようにセンター側ゴム部を延長させた構造とすることで、介在させるゴム部を新たに設けなくても済む。従って、製造工程を増やす必要がなく、製造上のコストが新たに生じる懸念がない。
一方、摩耗が進んで、トレッド表面側の軟質ゴム部が摩滅した時に、ｔａｎδの低い低損失正接ゴム部が露出するのではなく、軟質ゴム部よりもやや硬いセンター側ゴム部が露出するので、摩耗によって急激にグリップ性能が損なわれることがない。
なお、ｔａｎδの低いゴム（低損失正接ゴム部）では、発熱性は低いが、路面の凹凸にグリップする力が弱い。つまり、ｔａｎδの低いゴムの摩擦係数は低く、このようなゴムがトレッド表面に現れた場合、ライダーはタイヤのグリップ力が急激に減少したと感じる。請求項１では、軟質ゴム部が摩滅した時に、低損失正接ゴム部が露出する前にセンター側ゴム部が露出する。従って、グリップ力の低下が段階的になり、急激なグリップ力の低下を防止することが可能である。
【００４５】
請求項２に記載の発明は、前記軟質ゴム部の厚みが、前記トレッド部の平均厚みの２０％以上８０％以下の範囲内であることを特徴とする。
【００４６】
２０％未満であると軟質ゴム部が薄すぎ、表面に柔らかいゴム（軟質ゴム部）を設けても軟質ゴム部が路面の凹凸に食い込みにくい。また、すぐに摩耗してしまう懸念もある。
【００４７】
一方、８０％を超えると、トレッド厚み方向（タイヤ径方向）に柔らかいゴム層が広く存在することになるため、トレッド部の総合的な剛性が低下して、横グリップ性（キャンバースラスト性）が低下する。
【００４８】
軟質ゴム部が摩耗しても軟質ゴム部によるグリップ力を維持するためには、２０％〜８０％のうち４０％〜７０％の範囲内とすることが更に好ましい。特に市販のタイヤでは、比較的摩耗するまで使うため、厚みは厚い方が好ましい。
【００４９】
一方、競技用の一部のタイヤでは、例えば予選に用いるタイヤのように、１周だけ速く走る目的で用いられるタイヤがある。このようなタイヤでは、剛性とグリップとのバランスから、厚みは薄いほうがよく、２０％〜８０％のうち２０％〜４０％の範囲内が適切である。
【００５０】
請求項３に記載の発明は、トレッド端からトレッド展開幅の１０％以下の範囲におけるトレッドゴムの平均厚みが、トレッド端を基準としたトレッド展開幅の１０％以上２５％以下の範囲におけるトレッドゴムの平均厚みよりも薄いことを特徴とする。
【００５１】
トレッド端からトレッド展開幅の１０％までの範囲は、主として軟質ゴム部を配置した部位に相当する。また、トレッド端を基準としたトレッド展開幅の１０％を開始点、２５％を終点とした範囲は、ＣＡ５０度で旋回する残りの接地部分に相当する。
【００５２】
このように、柔らかいゴム（軟質ゴム部）が配置されたトレッド部分のゴム厚を薄くすることによって、トレッド剛性が向上する。すなわち、ゴムを柔らかくした分だけ、トレッド端からトレッド展開幅の１０％までの範囲の全体的な厚みを薄くしてトレッド剛性を確保している。なお、トレッド剛性は厚みの３乗に比例するため、トレッド厚みが８ｍｍの場合には、薄くする肉厚分を０．５ｍｍ〜１．５ｍｍ程度とすることで十分な効果が奏される。
【００５３】
また、トレッド部の全部を薄くしてしまうと、トレッド剛性は向上するが、タイヤ表面の滑りが全体的に増えてしまい、摩耗ライフが低下する。従って、柔らかいゴム（軟質ゴム部）を配置した部分のみを薄くすることが効果的である。
【００５４】
請求項４に記載の発明は、前記トレッド部のトレッドセンター部の少なくとも一部では、厚さ方向に２種以上のゴム層が形成され、前記軟質ゴム部に隣接している前記センター側ゴム部が前記トレッドセンター部におけるトレッド表面側のゴム層を形成していることを特徴とする。
【００５５】
ここでトレッドセンター部とは、トレッド展開幅の２５％の幅で規定されるトレッド中央部のことである。これは、バイクが直立しているときに路面と接触している部分の幅がトレッド展開幅の約２５％であることによる。
【００５６】
請求項４では、このトレッドセンター部の少なくとも一部が２層のゴム層から形成されていることを規定している。トレッドセンター部の全ての領域で２層になっていなくても、トレッドセンター部の１５％以上の幅で２層になっていれば、この構造による以下の効果が充分に認められる。
【００５７】
２層にする理由は、発熱の抑制、すなわち転がり抵抗の抑制にある。内部に硬いゴムを配置し、外部に柔らかいゴムを配置することによって、表面のゴム（センター側ゴム部）がグリップ力を稼ぎ、内部のゴムが発熱を抑制する。また、内部のゴムとして損失正接ｔａｎδの低いゴム（低損失正接ゴム部）を使用することにより、さらにゴムの発熱が抑制され、転がり抵抗性が向上する。特に市販のタイヤでは、直進状態で走行する時間が長く、近年の環境（低燃費）を考えた場合、直進時の転がり抵抗を抑制して、燃料の消費を抑えることが重要である。そのため、このように、直進時に接地するタイヤセンター部のトレッド内部にｔａｎδの低いゴムを使用すると良い。
【００５８】
一方、競技用のタイヤにおいては、直進走行時に速度が３００ｋｍ／ｈを超えて走行する自動二輪車競技もある。このような競技では、高速走行によりトレッド部が高い周波数で繰り返して変形し、発熱する。その発熱によって、トレッド内部のオイルが気化して泡が発生するブロー現象が起こり、この泡を起点としてトレッド部の一部が欠けて飛び散る故障を起こすことがある。そのため、このような高度な競技用タイヤにおいても、トレッドの内部に発熱のしにくい損失正接ｔａｎδの非常に低いゴム（低損失正接ゴム部）を使用し、一方でトレッドの表面にグリップ力の高いゴム（センター側ゴム部）を使用する。
【００５９】
このように、請求項４では、タイヤセンター部の表面のゴム層がセンター側ゴム部によって形成されており、タイヤ赤道面から軟質ゴム部に隣接する位置まで連続して同一種のゴムで繋がっている。この構成によって、ＣＡ４５〜５５度の大ＣＡ時のみならず、直進時の駆動、制動特性も向上させることができ、かつ、直進時におけるトレッドセンター部の発熱を低減し、転がり抵抗を抑制できる。
【００６０】
請求項５に記載の発明は、前記トレッド部のトレッドセンター部の少なくとも一部では、厚さ方向に２種以上のゴム層が形成され、前記低損失正接ゴム部が前記トレッドセンター部における最内層のゴム層を形成していることを特徴とする。
【００６１】
これにより、ｔａｎδが低くて発熱量が小さいゴムを、トレッド全体に配置することができて効率的であり、機能的である。
【００６２】
なお、トレッドゴムの少なくとも一部を、未加硫の幅狭長尺のゴムストリップを周方向かつ螺旋状に重ねて巻きつける事で成型してもよい。トレッドショルダー部では、タイヤ断面で丸みが大きい。このトレッドショルダー部に、作業者が手作業で幅の広いトレッド部材を配置すると、成型精度（形状精度）を確保しにくい。従って、幅の狭い未加硫ゴム連続体（ゴムストリップ）を、例えば専用の成型機械を用いて自動的に巻きつけることにより、ショルダー部の形状精度が高いタイヤを提供することが可能である。また、本発明のようにタイヤを構成するゴム種が３種類以上となっても、トレッド部を分割された各ゴムで効率的に製造することが出来る。
【００６３】
請求項６に記載の発明は、前記少なくとも１枚のベルトとして、タイヤ赤道に対して５度以下のコード角度をなすスパイラルベルトを備えたことを特徴とする。
【００６４】
スパイラルベルトは赤道方向に対する角度が０度〜５度であるコードを内部に含むベルトであり、１本または２本以上のコードを未加硫ゴムで被覆した連続体をタイヤ周方向に沿って連続的に螺旋巻きすることで形成できる。
【００６５】
このようなベルトは周方向にコードが沿うため遠心力でタイヤが膨張しにくく、特に高速走行時の操縦安定性能に優れる。そのため、近年の高性能タイヤに広く使われるようになってきた。しかしながら、このような部材は高速走行時の操縦安定性能には有効であるが、車体を大きく倒したＣＡ４５〜５５度では速度も遅いため、本来の遠心膨張しにくい効果は薄れ、横グリップ力に関しては従来のスパイラルベルトのないタイヤとあまり変わらない。そこで、このような高性能タイヤに請求項６を適用すると、大ＣＡ時の横グリップ力が増して、高性能タイヤとしての性能バランスが良くなり、好ましい。
【００６６】
請求項７に記載の発明は、前記スパイラルベルトのタイヤ径方向外側に、タイヤ赤道に対するコード角度が８０度以上９０度以下であって、損失正接ｔａｎδが前記軟質ゴム部及び前記センター側ゴム部よりも小さいゴムでコーティングされた幅広ベルト（幅広のラジアル方向ベルト）層を有することを特徴とする。
【００６７】
スパイラルベルトを使用したタイヤでは、スパイラルベルトが周方向に伸び難いため、タイヤの遠心膨張を防ぐ。なお、スパイラルベルトだけあれば、ベルト剛性が比較的高く保てるため、スパイラルベルトのみでベルト層が構成されているタイヤもある。またスパイラルベルトを用いた場合は、ベルト剛性が高まるため、スパイラルベルトに合わせるベルトは赤道方向に対するコード角度が４５度〜８０度の範囲内である場合が殆どであり、タイヤの内圧をスパイラルベルトが殆ど受け止めている。そのため、万一、スパイラルベルトが損傷することを考えると、タイヤのバースト対策の万全を図ることが好ましい。例えば、トレッドが摩耗して薄くなった時に、高速で突起物を踏みつけた場合や、摩耗しているのにタイヤを使い続けてしまい、スパイラルベルトが露出してしまった場合に、スパイラルベルトが破断してしまう可能性がゼロではない。そこで、請求項７のようにスパイラルベルトを保護するように幅方向に沿ったコードをもつ上記の幅広ベルト層を配置すると、スパイラルベルトを保護することができる。
【００６８】
また、請求項７では、この幅広ベルト層のコーティングゴムを、軟質ゴム部やセンター側ゴム部に比べて損失正接ｔａｎδの小さいゴムにすることを規定した。この幅広ベルト層には内部にコードが入っており、コードの剛性がゴムに比べて非常に高くてコードが変形しにくいので、コードの体積分だけ発熱しにくい。さらにコーティングゴムのｔａｎδを低下させることで発熱を防止することが可能となる。つまり、この幅広ベルト層に、低損失正接ゴム部のような効果を持たせることが可能になる。
【００６９】
さらに、この幅広ベルト層をトレッドショルダー部に広く配置すること、すなわち軟質ゴム部の位置まで配置することにより、略横方向に向く補強繊維をベルトの最外層に存在させることができる。これにより、トレッド部の土台が横方向に強くなり、トレッド部の横剪断に対してベルトが剛性を持つため、高い横力が維持され得る。
【００７０】
請求項８に記載の発明は、前記スパイラルベルトと前記幅広ベルト層との間の少なくとも一部に、厚みが０．３ｍｍ以上３ｍｍ以下で、損失正接ｔａｎδが前記軟質ゴム部及び前記センター側ゴム部よりも小さい緩衝ゴム層が設けられたことを特徴とする。
【００７１】
この緩衝ゴム層を設けることで、トレッドショルダー部の摩耗を抑制する効果が得られる。図７にタイヤがＣＡ５０度で旋回する時のトレッドの幅方向の挙動を示した。一方、トレッドの周方向の変形は図７の領域Ａと領域Ｃとで異なっている。これは、接地形状のセンター寄りである領域Ｃと、接地形状のトレッド端部寄りの領域Ａとでベルトの速度が異なるからである。二輪車のタイヤは幅方向断面において、大きな丸みを持っている。そのため、回転軸からベルトまでの距離であるベルト半径が、領域Ａと領域Ｃとでは領域Ｃの方が大きい。ベルトの速度、つまりトレッド部が路面に接触してから、タイヤの回転が進み、トレッド部が路面から離れるまでのベルト速度が、領域Ｃの方が速い。ベルト半径とタイヤの回転角速度とを乗算したものがベルトの速度になるからであり、タイヤの回転速度は領域Ａでも領域Ｃでも同じだからである。
【００７２】
このベルトの周方向の速度差により、タイヤのセンター寄りである領域Ｃではトレッドがドライビング状態であり、タイヤのトレッド端部寄りである領域Ａではブレーキング状態である。ドライビングとは、タイヤを赤道方向にそって輪切りにした場合に、そのトレッド変形が、トレッド内面（タイヤ内部の骨格部材に接している面）がタイヤ進行方向後方にせん断され、路面に接地しているトレッド表面がタイヤ進行方向前方に変形しているせん断状態であり、ちょうどタイヤに駆動力をかけたときに起こる変形である。一方、ブレーキングはドライビングの逆であり、トレッド変形はタイヤ内部側（ベルト側）が前方にせん断され、路面に接地しているトレッド表面が後方に変形しているせん断状態であり、制動したときのタイヤの動きとなる。この周方向のトレッド変形は、タイヤが駆動力も制動力も受けずに、遊輪状態で転がるだけで発生する。そして、この周方向の剪断変形によって、領域Ａと領域Ｃとでトレッド表面が路面から滑りやすくなり、摩耗が進む。このような旋回中の余計な変形は、タイヤショルダー部に偏摩耗を起こしやすいので、生じさせないほうが良い。
【００７３】
請求項８のように、緩衝ゴム層を設けると、緩衝ゴム層が周方向に剪断変形するため、前記のドライビング変形、ブレーキング変形をトレッド部に肩代わりして変形することになり、トレッド部の周方向の変形が緩和される。一方で、この緩衝ゴム層のタイヤ径方向外側には、コード方向が略タイヤ幅方向に沿った広幅ベルト層が設けられているため、緩衝ゴム層は幅方向には剪断変形されにくい。そのため、幅方向に対してはトレッド部の変形を肩代わりしないので、トレッド部の横剪断変形は緩衝ゴム層を配置しても大きいままである。すなわち、緩衝ゴム層は周方向のみの変形を肩代わりし、トレッド部の周方向変形を小さくして偏摩耗を防止する一方で、幅方向の変形は肩代わりせずにトレッド部の横変形は大きいまま維持し横力を高く保てる効果がある。本発明のように、トレッドの端部の表面に柔らかいゴム（軟質ゴム部）を配置した場合は、柔らかいゴムが摩耗しやすいため、このような緩衝ゴム層を設けることが非常に好ましい。赤道方向に対して８０度〜９０度のコード角度を有するベルトおよび緩衝ゴム層は、好ましくはトレッド端部でかつトレッド表面に柔らかいゴム（軟質ゴム部）が配置されている位置に重なるように幅広く配置されることが好ましい。
【００７４】
さらに、この緩衝ゴム層の損失正接ｔａｎδを、軟質ゴム部や低損失正接ゴム部に比べて小さくすることにより、タイヤの発熱を防止することが可能である。つまり、緩衝ゴム層に、低損失正接ゴム部のような役割を持たせることが可能になる。
【発明の効果】
【００７５】
本発明によれば、トレッドショルダー部の耐摩耗性の向上と、横グリップ性を向上させることによる旋回時の操縦安定性の向上と、を両立させた二輪車用タイヤとすることができる。
【発明を実施するための最良の形態】
【００７６】
以下、実施形態として二輪車用空気入りタイヤを挙げ、本発明の実施の形態について説明する。なお、第２実施形態以下では、既に説明した構成要素と同様のものには同じ符号を付して、その説明を省略する。
【００７７】
［第１実施形態］
まず、第１実施形態について説明する。図１に示すように、本実施形態に係る二輪車用空気入りタイヤ１０は、左右一対のビード部１２と、ビード部１２からトロイド状に延びるカーカス１４と、を備えている。
【００７８】
カーカス１４は、ビード部１２のビードコア１１にトロイド状に跨っている。本実施形態では、カーカス１４は二層で、すなわち２枚のカーカスプライ（ボディプライ）で構成されている。カーカスプライの端部はビードコア１１で係止され、両側からビードワイヤー１３が挟みこんでいる。
【００７９】
また、二輪車用空気入りタイヤ１０は、カーカス１４のクラウン部のタイヤ径方向外側に、スパイラルベルト１６とトレッド部１８とを順次備えている。このスパイラルベルト１６は、単線または並列した複数本のコードを被覆ゴム中に埋設してなる帯状のゴム被覆コード層をタイヤ赤道方向（タイヤ周方向）に対して５度以下のコード角度をなすようにスパイラル状に巻回してなるものである。
【００８０】
図１、図２に示すように、トレッド部１８には、タイヤ幅方向両側のトレッド端部にそれぞれ配置された軟質ゴム部２２、２３と、軟質ゴム部２２、２３に隣接するセンター側ゴム部２６と、スパイラルベルト１６のタイヤ径方向外側に隣接する低損失正接ゴム部２８と、が設けられている。軟質ゴム部２２と軟質ゴム部２３とはタイヤ赤道面ＣＬに対して左右対称形状であるので、以下、軟質ゴム部２２についてのみ説明し、軟質ゴム部２３の説明を省略する。
【００８１】
軟質ゴム部２２は、トレッド端Ｔからの展開幅Ｗがトレッド展開幅Ｌ（タイヤセンターＣＬからトレッド端Ｔまでの展開幅の２倍）の５〜１４％の範囲内とされ、センター側ゴム部２６に比べてショアＡ硬度が低い。また、軟質ゴム部２２の厚みは、トレッド部１８の平均厚みの２０〜８０％の範囲内とされている。
【００８２】
センター側ゴム部２６は、軟質ゴム部２２のタイヤセンター側に隣接するとともに軟質ゴム部２２のタイヤ径方向内側にも隣接している。従って、軟質ゴム部２２と低損失正接ゴム部２８との間にはセンター側ゴム部２６が介在している。
【００８３】
低損失正接ゴム部２８は、トレッド部１８の最内層を構成している。また、低損失正接ゴム部２８は、トレッド端Ｔからの展開幅がトレッド展開幅Ｌの２５％以下となる領域Ｓにまで延びている。低損失正接ゴム部２８の損失正接ｔａｎδは、軟質ゴム部２２やセンター側ゴム部２６よりも小さい。
【００８４】
また、低損失正接ゴム部２８の厚みは、タイヤ赤道面ＣＬからトレッド端部２８Ｅにかけて徐々に薄くなっている。
【００８５】
以上説明したように、本実施形態では、大ＣＡ時にのみ使う部位、さらには、トラクションではなく横力のみを発生させる部位に柔らかいゴムである軟質ゴム部２２を配置している。従って、使用頻度は低いが横グリップ性に大きく寄与する部位のみを対象として軟質ゴム部２２を配置しており、耐摩耗性の維持とグリップ性能の向上とを両立させた二輪車用空気入りタイヤ１０としている。このことは、特に高速走行する場合に有効であり、競技用タイヤとして使用したときに、走行を重ねても短時間のラップタイムを維持することができる。また、長時間使用してもグリップ力があまり低下しないタイヤであると言うことができる。
【００８６】
更に、本実施形態では、トレッド部１８の最内層に、ｔａｎδの低い、すなわち発熱量が小さい低損失正接ゴム部２８を配置している。これにより、トレッドショルダー部のゴムが高温になってトレッド剛性が低下することを防止している。しかも、低損失正接ゴム部２８をトレッド全体に配置することができて効率的であり機能的である。
【００８７】
更に、軟質ゴム部２２と低損失正接ゴム部２８との間（タイヤ径方向間）にセンター側ゴム部２６が介在している。従って、既に配置されているセンター側ゴム部２６を延長させた構造としており、介在させるゴム部を新たに設けなくても済む。これにより、製造工程を増やす必要がなく、製造上のコストが新たに生じる懸念がない。しかも、摩耗が進んで軟質ゴム部２２が摩滅した時に、低損失正接ゴム部２８が露出するのではなく、軟質ゴム部２２よりもやや硬いセンター側ゴム部２６が露出するので、摩耗によって急激にグリップ性能が損なわれることがない。
【００８８】
また、軟質ゴム部２２の厚みが、トレッド部１８の平均厚みの２０％〜８０％の範囲内とさている。これにより、軟質ゴム部２２が路面の凹凸に食い込みにくいことはなく、しかも、すぐに摩耗してしまう懸念もない。しかも、トレッド部の総合的な剛性が低下して横グリップ性が低下する懸念もない。
【００８９】
また、トレッドセンター部１８Ｃでは、厚さ方向に２種のゴム層が形成され、センター側ゴム部２６がトレッドセンター部１８Ｃにおけるトレッド表面側のゴム層を形成している。従って、センター側ゴム部２６よりも低損失正接ゴム部２８のほうを硬いゴムとすることにより、トレッド表面側のゴムであるセンター側ゴム部２６がグリップ力を稼ぎ、トレッド内部側のゴムである低損失正接ゴム部２８が発熱を抑制して、転がり抵抗性を向上させている。
【００９０】
［参考形態］
次に、本発明に含まれない参考形態について説明する。図３に示すように、本参考形態に係る二輪車用空気入りタイヤでは、第１実施形態に比べ、トレッド端部のゴム構造が異なる。本参考形態では、軟質ゴム部２２（図２参照）に代えて、低損失正接ゴム部２８に隣接する寸法の軟質ゴム部３２が配置されている。従って、軟質ゴム部３２のタイヤセンター側に隣接するセンター側ゴム部３６は、低損失正接ゴム部２８と軟質ゴム部３２との間には介在しない寸法とされている。これにより、タイヤの製造効率を上げることができる。
【００９１】
［第２実施形態］
次に、第２実施形態について説明する。図４に示すように、本実施形態に係る二輪車用空気入りタイヤでは、第１実施形態に比べ、スパイラルベルト１６のタイヤ径方向外側に幅広ベルト４０が配置されている。
【００９２】
この幅広ベルト４０を構成するコードでは、タイヤ赤道Ｃに対するコード角度が８０〜９０°の範囲内とされている。また、幅広ベルト４０のコードを覆うコーティングゴムとしては、損失正接ｔａｎδが軟質ゴム部２２及びセンター側ゴム部２６よりも小さいゴムが用いられている。
【００９３】
このように、本実施形態では、ほぼ赤道方向（タイヤ周方向）に沿ったコードを有するスパイラルベルト１６のタイヤ径方向外側に、ほぼ幅方向に沿ったコードを有する幅広ベルト４０を配置している。従って、幅広ベルト４０によってスパイラルベルト１６が充分に保護されている。
【００９４】
また、幅広ベルト４０のコーティングゴムの損失正接ｔａｎδが、軟質ゴム部２２やセンター側ゴム部２６に比べて小さい。これにより、幅広ベルト４０の発熱を防止することができる。
【００９５】
さらに、この幅広ベルト４０をトレッドショルダー部に広く配置すること、すなわち軟質ゴム部２２の位置まで配置することにより、略横方向に向く補強繊維（コード）をベルトの最外層に存在させることができる。これにより、トレッド部１８の土台が横方向に強くなり、トレッド部１８の横剪断に対してベルトが剛性を持つため、高い横力が維持され得る。
【００９６】
［第３実施形態］
次に、第３実施形態について説明する。図５に示すように、本実施形態に係る二輪車用空気入りタイヤでは、第２実施形態に比べ、スパイラルベルト１６と幅広ベルト４０との間に緩衝ゴム層４４が設けられている。この緩衝ゴム層４４の損失正接ｔａｎδは、軟質ゴム部２２やセンター側ゴム部２６よりも小さい。
【００９７】
本実施形態では、二輪車用空気入りタイヤの使用時に緩衝ゴム層４４がタイヤ周方向に剪断変形するため、ドライビング変形、ブレーキング変形をトレッド部に肩代わりして緩衝ゴム層４４が変形することになる。従って、トレッド部の周方向の変形が緩和される。一方で、この緩衝ゴム層４４のタイヤ径方向外側には、コード方向が略タイヤ幅方向に沿った広幅ベルト４０が設けられているため、緩衝ゴム層４４は幅方向には剪断変形されにくい。そのため、幅方向に対してはトレッド部の変形を肩代わりしないので、トレッド部の横剪断変形は緩衝ゴム層４４を配置しても大きいままである。
【００９８】
また、この緩衝ゴム層４４の損失正接ｔａｎδが、軟質ゴム部２２や低損失正接ゴム部２８に比べて小さいので、タイヤの発熱を更に防止することが可能である。
【００９９】
＜試験例＞
本発明の効果を確かめるために、本発明者は、本発明に係る二輪車用空気入りタイヤの８例（以下、実施例１〜８という）、比較のための二輪車用空気入りタイヤの５例（以下、比較例１〜５という）、及び、従来の二輪車用空気入りタイヤの１例（以下、従来例という）について、性能試験を行って性能を評価した。タイヤサイズは全て１９０／５０ＺＲ１７である。
【０１００】
また、各タイヤでは、カーカスのコードとしてはナイロン製のコードとした（「ナイロン」はデュポン社の登録商標）。ナイロン製のコードを撚って直径０．６ｍｍとし、これを打ち込み間隔６５本／５０ｍｍで平行に並べ、未加硫ゴムでシート状にしたものをカーカスとした。また、カーカスはタイヤ赤道（タイヤ周方向）に対して７０度傾けて、２枚のカーカスでコードが互いに交錯するように配置したバイアス構造とした。なお、カーカスをビードコアの周りに巻きまわして固定する構造としてもよい。
【０１０１】
また、各タイヤには、タイヤ赤道方向に対するコード角度が０〜５°の範囲内とされたスパイラルベルトが設けられている。このスパイラルベルトは、１本または複数本のコードをゴムで被覆して、これを螺旋巻きするようにタイヤ赤道方向にほぼ平行にぐるぐると巻き付けて形成したものである。その際、芳香族ポリアミド（商品名は「ケブラー」）の繊維を撚って直径０．７ｍｍにしたものを、打ち込み間隔が５０本／５０ｍｍになるように配置した。本試験例では、スパイラルベルトの幅を全て２００ｍｍとした。
【０１０２】
なお、スパイラルベルトのコードをスチールコードで構成しても構わない。例えば、直径０．２１ｍｍのスチール単線を１×３タイプで撚ったスチールコードを、打ち込み間隔３０本／５０ｍｍでスパイラル状に巻き付けて形成してもよい。
【０１０３】
スパイラルベルトのタイヤ径方向外側にはトレッド部が設けられている。本試験例では、トレッド部の厚みを全て８ｍｍとした（なお、後述の実施例８では、トレッド端部で厚みが０．７ｍｍ薄くなっている）。本試験例ではトレッド表面に溝を配置しなかったが、トレッド部に溝を配置しても構わない。トレッド展開幅Ｌは全て２４０ｍｍとした。
【０１０４】
以下、本試験例で用いた各タイヤの仕様を説明する。なお、各タイヤの仕様をまとめたものを表１に示す。また、以下の説明で幅を示す数値は全て展開幅の数値を意味する。
【表１】
0005179802.tif 000002
【０１０５】
（従来例）
従来例では、後述の実施例１と同様のカーカス及びスパイラルベルトを有する。そして、スパイラルベルトのタイヤ径方向外側にトレッド部を有する。
このトレッド部は、スパイラルベルトのタイヤセンター部に隣接しｔａｎδの低いゴム（以下、ゴムＺという）で構成されるゴムと、タイヤ赤道から幅方向両側に広がってトレッドショルダー部にまで延長されているゴム（以下、ゴムＹという）とからなる。すなわち、トレッド内部を構成するゴムＺと、トレッド外部を構成するゴムＹとからトレッド部が形成されている。
【０１０６】
ゴムＺの展開幅は１２０ｍｍであり、トレッドショルダー部にまでは達していない。従って、トレッドショルダー部はゴムＹのみで構成されている。トレッドショルダー部の厚みは８ｍｍで均一にされている。ゴムＹでは、１００℃のショアＡ硬度が３５、１００℃の損失正接ｔａｎδが０．４であり、ゴムＺでは１００℃のショアＡ硬度が４０、１００℃の損失正接ｔａｎδが０．２である。
ゴムＺの厚みは、タイヤ赤道（タイヤセンター）Ｃからの展開幅が４０ｍｍまでの範囲において厚みが一律４ｍｍであり、トレッド側部に向かって徐々に薄くなり、展開幅１２０ｍｍの位置で厚み２ｍｍとなる。つまり、タイヤ赤道から２０ｍｍの範囲内では厚みが４ｍｍ、タイヤ赤道から２０ｍｍの位置から６０ｍｍの位置で厚みが徐々に薄くなって６０ｍｍの位置で厚み２ｍｍとなっている。
【０１０７】
（比較例１）
比較例１では、従来例１に比べ、図６に示すように、トレッドショルダー部の表面側に異種ゴム（以下、ゴムＸ）からなる軟質ゴム部８２を配置した。従って、比較例１では、軟質ゴム部８２と、軟質ゴム部８２のタイヤセンター側に隣接するセンター側ゴム部８６とでトレッドゴムが形成されている。
【０１０８】
従って、トレッドショルダー部を形成するゴム種はゴムＸとゴムＹの２種類である。このゴムＸは、後述の実施例１の軟質ゴム部と同じ種類のゴムとした。ゴムＸの１００℃のショアＡ硬度は３０である。
【０１０９】
軟質ゴム部８２の寸法も後述の実施例１の軟質ゴム部と同じとした。軟質ゴム部８２の展開幅Ｗは２５ｍｍ（トレッド展開幅Ｌの１０．４％）で、軟質ゴム部８２の厚みｔは４ｍｍ（トレッド厚みの０．５倍）である。
【０１１０】
（比較例２）
比較例２では、従来例１に比べ、タイヤセンター部の内部に、１００℃のショアＡ硬度が４０でｔａｎδが０．２のゴム（ゴムＺ）からなる低損失正接ゴム部が、幅２３０ｍｍでタイヤセンター部からショルダー部にまで広く配置されている。低損失正接ゴム部の厚みは、タイヤセンター部で４ｍｍであるが、ショルダー部に向かって徐々に薄くなり、タイヤセンターから６０ｍｍ〜１１５ｍｍの範囲において低損失正接ゴム部の厚みは一律２ｍｍである。
【０１１１】
トレッドショルダー部を形成するゴム種はゴムＹとゴムＺとの２種類である。トレッド端部の表面側にはゴムＸは配置されていない。トレッド部の厚みは一律８ｍｍで均一である。
【０１１２】
（実施例１）
実施例１は、第１実施形態に係る二輪車用空気入りタイヤの一例である。図２に示すように、タイヤセンター部の内部に、１００℃のショアＡ硬度が４０でｔａｎδが０．２のゴム（ゴムＺ）からなる低損失正接ゴム部２８が、展開幅２２０ｍｍでタイヤセンター部からトレッドショルダー部にまで広く配置されている。低損失正接ゴム部２８はタイヤセンター部では厚みは４ｍｍであるが、トレッドショルダー部に向かって徐々に薄くなり、タイヤ赤道面の何れの側においても、タイヤ赤道面ＣＬからの展開幅が６０ｍｍ〜１１５ｍｍの範囲では厚みは一律２ｍｍである。
【０１１３】
トレッドショルダー部の表面側に、ゴムＸからなる軟質ゴム部２２、２３を配置した（以下の説明では軟質ゴム部２３の説明を省略する）。軟質ゴム部２２の展開幅Ｗは２５ｍｍ（トレッド展開幅Ｌの１０．４％）で、軟質ゴム部２２の厚みｔは４ｍｍ（トレッド厚みの０．５倍）である。
【０１１４】
トレッドショルダー部を形成するゴムは３種であり、トレッド端部１８Ｅでは、トレッド表面からゴムＸ、ゴムＹ、ゴムＺの順に配置されている。
【０１１５】
１００℃のショアＡ硬度は、ゴムＸからなる軟質ゴム部２２が３０（動的弾性率Ｅ’は１．１６ＭＰａに相当）、ゴムＹからなるセンター側ゴム部２６が３５（動的弾性率Ｅ’は１．４２ＭＰａに相当）、ゴムＺからなる低損失正接ゴム部２８が４０（動的弾性率Ｅ’は１．７９ＭＰａに相当）である。
【０１１６】
１００℃のｔａｎδは、ゴムＸからなる軟質ゴム部２２が０．４、ゴムＹからなるセンター側ゴム部２６が０．４、ゴムＺからなる低損失正接ゴム部２８が０．２である。
トレッド部１８の厚みは一律８ｍｍである。
【０１１７】
（比較例３）
比較例３は、参考形態に係る二輪車用空気入りタイヤの一例である。図３に示すように、タイヤセンター部の内部に、１００℃のショアＡ硬度が４０でｔａｎδが０．２のゴム（ゴムＺ）からなる低損失正接ゴム部２８が、展開幅２２０ｍｍでタイヤセンター部からトレッドショルダー部にまで広く配置されている。低損失正接ゴム部２８はタイヤセンター部では厚みは４ｍｍであるが、トレッドショルダー部に向かって徐々に薄くなり、トレッドショルダー部での厚みは２ｍｍである。
【０１１８】
トレッドショルダー部の表面側に、ゴムＸからなる軟質ゴム部３２を配置した。軟質ゴム部３２の展開幅Ｗは２５ｍｍ（トレッド展開幅Ｌの１０．４％）で、軟質ゴム部３２の厚みｔは６ｍｍ（トレッド厚みの０．７５）である。
トレッド端部を形成するゴムは２種で、トレッド表面から、ゴムＸ、ゴムＺとなる。トレッド部の厚みは一律８ｍｍである。
【０１１９】
（実施例２）
実施例２は、第２実施形態に係る二輪車用空気入りタイヤの一例である。図４に示すように、実施例１に比べ、スパイラルベルト１６とトレッドゴムとの間に、すなわちスパイラルベルト１６の半径方向外側に隣接するように、タイヤ赤道方向に対するコード角度が９０度である幅広ベルト４０を１枚追加した。
【０１２０】
この幅広ベルト４０としては、芳香族ポリアミドの繊維を撚って、直径０．６ｍｍとしたものを、打ち込み間隔５０本／５０ｍｍで配置した。芳香族ポリアミドを覆うベルトコーティングゴムは、１００℃のｔａｎδが０．３のものを使用した。幅広ベルト４０の展開幅は２４０ｍｍである。
【０１２１】
（実施例３）
実施例３は、第３実施形態に係る二輪車用空気入りタイヤの一例である。図５に示すように、実施例２に比べ、幅広ベルト４０とスパイラルベルト１６との間に、厚み１ｍｍで展開幅２４０ｍの緩衝ゴム層４４を配置した。緩衝ゴム層４４のゴム種は、幅広ベルト４０を構成するコーティングゴムと同じ材質とした。
【０１２２】
（実施例４〜７）
実施例１に比べ、軟質ゴム部を構成するゴムＸの展開幅Ｗと深さとをパラメータとして変更したタイヤを準備し、実施例４〜７とした。各タイヤについてタイヤ条件を表１に示す。
【０１２３】
（実施例８）
実施例３に比べ、トレッド端部の厚みを薄くしたタイヤを準備し、実施例８とした。すなわち、トレッド端からトレッド展開幅の１０％までの範囲におけるトレッドゴムの平均厚みを、他のトレッド部分の厚み（８ｍｍの均一な厚みである）よりも０．７ｍｍ薄くしている。しかも、トレッド端からトレッド展開幅の１０％までの範囲で、トレッド端に向かうにつれて徐々に薄くなっている。
【０１２４】
（試験方法、及び、評価結果）
本試験例では、これらのタイヤを用い、以下の３種類の試験を行って各タイヤの性能を評価した。
【０１２５】
（試験Ａ）ＣＡ５０度での横力測定による横グリップ性の評価
試験Ａでは、試験機としては、直径３ｍのスチール製のドラムに、＃４０番の紙やすりを貼り付け、紙やすりを路面に見立てる。
【０１２６】
また、各タイヤについて、リム幅６インチ、リム径１７インチのホイールに組み込み、タイヤ内圧２００ｋＰａとした。そして、ＣＡ５０度、荷重１５００Ｎ、ＳＡ０度でドラムに押し付け、タイヤが１００ｋｍ／ｈで転動するようにドラムを回転させ、この状態における横力をタイヤの回転軸に取付けた３分力計から測定した。横力がキャンバースラストである。
【０１２７】
横力を測定する際には、タイヤが回転し始めて５分後に計測した。このときタイヤは十分に温まり、トレッドショルダー部の温度は約１００℃になっていた。
【０１２８】
試験Ａでは、従来例の横力を横力指数１００とした。なお、従来例１の横力は１７００Ｎであった。そして、他の各タイヤについて、従来例に対する相対評価となる横力指数を求めた。この指数を表１に併せて示す。表１では、横力指数が大きいほど横力が大きくて横グリップ性が良好であることを示す。
【０１２９】
表１から判るように、実施例、比較例の各タイヤ全てについて、横グリップ性は従来例よりも良好であるという結果になった。
【０１３０】
（試験Ｂ）テストコースでの操縦安定性の評価
試験Ｂでは、テストコースで、熟練ライダーによる総合的な操縦安定性能の試験を実施した。準備したタイヤはリア用のタイヤであったため、リアのみのタイヤを交換して実車試験を行った。フロントのタイヤは常に従来のもので固定した。
【０１３１】
この試験Ｂでは、１０００ｃｃのスポーツタイプの二輪車を準備して、テストコースで実車走行させ、車両を大きく倒した旋回時における操縦安定性（コーナリング性能）を中心に評価した。評価はライダーのフィーリングによる１０点法での総合評価とした。評価結果を表１に併せて示す。表１では、点数（評点）が高いほど操縦安定性が良いことを示す。
【０１３２】
また、試験Ｂでは、テストコース１周のラップタイムは、何れのタイヤでも約６０秒ほどである。試験Ｂではこのテストコースを１０周した。各タイヤについて、テストコースを１０周したときのラップタイムの平均を表１に示す。ラップタイムの平均は低いほど好ましい。
【０１３３】
また、走行直後のトレッド端部の温度も計測した。このテストコースのサーキットでは右旋回が多かったので、温度計測では右側のトレッド端部の温度を計測した。その際、トレッド端部からタイヤセンター寄りに３０ｍｍの位置における温度を走行直後に計測した。計測結果を表１に併せて示す。この温度は低いほど好ましい。
【０１３４】
（試験Ｃ）摩耗量の評価
試験Ｂを行う前に、各タイヤの重量を予め測定した。タイヤの重量はリムから外して計測した値とした。
【０１３５】
そして、試験Ｂでテストコースを１０周した後にタイヤに付着したゴムかすや小石などの付着物を綺麗に取り除き、タイヤをリムから取り外して、タイヤの重量を測定した。新品時のタイヤ１本の重量から走行後のタイヤの重量を引くことにより、タイヤの摩耗量が測定される。
【０１３６】
テストコースにはコーナーが多かったため、摩耗はトレッドショルダー部で集中的に発生していた。つまり、求められたこの重量差が新品時からのトレッドショルダー部の摩耗量と考えることができる。
【０１３７】
摩耗量の評価をするにあたり、従来例の右側の摩耗量を指数１００とし、他のタイヤについては、従来例に対する相対評価となる指数を求めた。評価結果を表１に併せて示す。表１では摩耗量の指数が低いほど耐摩耗性が良いことを示す。
【０１３８】
（試験Ａ〜Ｃからの考察）
以上の評価結果から本発明者は以下の考察を行った。
実施例１では、従来例に比べ、試験Ａ（ドラム試験）で横グリップ性が向上しており、しかも、試験Ｂ（実車テスト）での評点が大幅に向上していた。横グリップ性が良好となってグリップ力が増すため、タイヤが滑りにくくなり、摩耗量が低下したためと考えられる。
【０１３９】
比較例１は、図６に示したように、従来例に比べてトレッド端部にゴムＸ（軟質ゴム部）を配置しただけであり、ゴムＺ（低損失正接ゴム部）がトレッドショルダー部にまでは達していない。実施例１と比較例１とを比べると、実施例１では、トレッドの温度が低下していることがわかる。これは、ゴムＺで構成される低損失正接ゴム部を設けたことによる効果であり、温度を低下させることで、ゴムの軟化を防止して、トレッド剛性を高く維持して、操縦安定性能を高めることができている。
【０１４０】
一方、比較例２は、ゴムＺ（低損失正接ゴム部）はトレッドショルダーまで達しているが、表面にゴムＸを配置しなかった例である。比較例２は従来例に比べるとトレッド温度が低下しているが、表面の柔らかいゴムが無いために横力が大きくない。そのため、横グリップ性、耐摩耗性とも実施例１には及ばない結果となった。
【０１４１】
以上から判るように、内部にｔａｎδの低いゴムＺ（低損失正接ゴム部）を配置することと、トレッド部の表面に柔らかいゴム（軟質ゴム部）を配置することとを組み合わせることで、実施例１のように大きく改良された二輪車用空気入りタイヤとすることができる。例えば、摩耗量の低減効果については、比較例１は従来例から８％改善、比較例２は従来例から６％改善している。両者の数字を単に加算すると数字上は１４％の改善になるが、両者を組み合わせた実施例１は２０％改善しており、温度を低下させることと、表面に柔らかいゴムを配置することとがバランスよく機能している。
【０１４２】
比較例３では、トレッド端部においてゴムＹが存在していないが、実施例１とほぼ同様の効果が得られている。
【０１４３】
実施例２は、実施例１に幅広ベルト（タイヤ赤道方向に対するコード角度が９０度のベルト）を配置したものである。幅広ベルトを配置することによって、トレッド温度がさらに低下している。また、幅広ベルトでは、タイヤ赤道方向に対するコード角度が９０度であるため、横剪断力に対して強い。従って、実施例１に比べ、横力指数が高くなっており、実車テストの評点も良くなっていた。また、耐摩耗性が実施例１よりも良くなっていた。実施例１に比べてグリップ力が増してタイヤが滑りにくくなったため摩耗性能も向上したためと考えられる。
【０１４４】
実施例３は、実施例２に緩衝ゴム層を更に設けたものである。緩衝ゴム層のｔａｎδは軟質ゴム部やセンター側ゴム部のｔａｎδよりも低いため、トレッド温度が更に低下していた。そして、緩衝ゴム層がトレッド部のタイヤ周方向の変形を吸収するため、摩耗量が更に低下した。
【０１４５】
実施例４、５及び比較例４、５は、実施例１に比べ、トレッド表面のゴムＸの展開幅をパラメータとして変化させたものである。
【０１４６】
比較例４では、ゴムＸからなる軟質ゴム部の展開幅が１０ｍｍでありトレッド展開幅の４％に相当する展開幅であるが、幅が１０ｍｍであると、表面ゴムが接触する面積が小さすぎて、効果があまり無い。
【０１４７】
比較例５では、ゴムＸからなる軟質ゴム部の展開幅が３５ｍｍでありトレッド展開幅の１５％に相当する展開幅である。比較例５では、横グリップ性は良好であるが、摩耗量の指数があまり低くなく、すなわち摩耗量が大きく、従来例と比べると摩耗改善効果が少ない。
【０１４８】
実施例４では、ゴムＸからなる軟質ゴム部の展開幅が１５ｍｍでありトレッド展開幅の６％に相当する展開幅である。実施例４では、比較例４に比べ、横グリップ性が顕著に良好となっている。
【０１４９】
実施例５では、ゴムＸからなる軟質ゴム部の展開幅が３０ｍｍでありトレッド展開幅の１３％に相当する展開幅である。実施例５では、比較例５に比べ、耐摩耗性が顕著に良好となっている。なお、実施例４、５では、何れも、試験Ａ〜Ｃで良好な結果となっている（すなわち、横グリップ性、操縦安定性、耐摩耗性の何れについても従来例に比べて良好となっている）。
【０１５０】
従って、本試験例では、ゴムＸの展開幅は１５〜３０ｍｍ（トレッド展開幅の６〜１３％）の範囲が適当であり、トレッド展開幅の５〜１４％の範囲まで好ましい範囲であると考えることができる。
【０１５１】
実施例６、実施例７はゴムＸの厚みを変更させたものである。以下、これらと実施例１、比較例２とを比べる。
【０１５２】
ゴムＸの厚みを１ｍｍ（トレッド厚の０．１２倍）とした実施例６では、ゴムＸを全く配置しない比較例２と比べると試験Ｂ、試験Ｃでその効果は認められるが、やや小さい向上効果である。これは、柔らかいゴムを表面に薄く配置しても、路面への食い込み変形がさほど大きくないためと考えられる。
【０１５３】
ゴムＸの厚みを２ｍｍ（トレッド厚の０．２５倍）とした実施例７では、その効果が明確になる。
【０１５４】
また、ゴムＸの厚みを６ｍｍ（トレッド厚の０．７５倍）としたものが比較例３である。その効果が認められるが、厚みが４ｍｍ（トレッド厚の０．５倍）である実施例１よりは効果が減少している。これは、柔らかいゴムの体積が増えすぎて、トレッド剛性が低下したためである。
【０１５５】
従って、本試験例では、ゴムＸからなる軟質ゴム部の厚みｔは２〜６ｍｍ（トレッド厚の０．２５〜０．７５倍）の範囲が適当であり、トレッド厚の０．２〜０．８の範囲まで好ましい範囲であると考えることができる。
【０１５６】
実施例８は、トレッド端部において、トレッド端からトレッド展開幅の１０％までの範囲におけるトレッドゴムの平均厚みが、他のトレッド部分の厚み（８ｍｍの均一な厚みである）よりも０．７ｍｍ薄くなるように製造したタイヤである。
【０１５７】
厚みは、トレッド端からトレッド展開幅の１０％までの範囲で、トレッド端に向かうにつれて徐々に薄くなっている。実施例８については、表面の柔らかいゴムＸ（軟質ゴム部）の厚みをそのまま維持し、内部のゴムＹとゴムＺの厚みをトレッド端に向けて徐々に薄くした。
【０１５８】
実施例３と実施例８との比較から、トレッド端部のゴムを薄くした実施例８ではドラム試験（試験Ａ）で横力が向上し、テストコースでの操縦安定性試験（試験Ｂ）の評点も高い。従って以下のことが判った。すなわち、実施例８のように、トレッド端部に柔らかいゴムＸを配置した場合は、厚みを薄くすることで剛性を高めることができ、柔らかいゴムを搭載してもトレッド剛性を高く保つことができる。その結果、操縦安定性能が向上した。また、グリップ力が増したために、摩耗量も低下した。
【０１５９】
以上、実施形態を挙げて本発明の実施の形態を説明したが、これらの実施形態は一例であり、要旨を逸脱しない範囲内で種々変更して実施できる。また、本発明の権利範囲がこれらの実施形態に限定されないことは言うまでもない。
【図面の簡単な説明】
【０１６０】
【図１】第１実施形態に係る二輪車用空気入りタイヤのタイヤ径方向断面図である。
【図２】第１実施形態に係る二輪車用空気入りタイヤのトレッド端部を示すタイヤ径方向部分断面図である。
【図３】参考形態に係る二輪車用空気入りタイヤのトレッド端部を示すタイヤ径方向部分断面図である。
【図４】第２実施形態に係る二輪車用空気入りタイヤのトレッド端部を示すタイヤ径方向部分断面図である。
【図５】第３実施形態に係る二輪車用空気入りタイヤのトレッド端部を示すタイヤ径方向部分断面図である。
【図６】比較例の二輪車用空気入りタイヤのトレッド端部を示すタイヤ径方向部分断面図である。
【図７】二輪車用空気入りタイヤの接地について説明する説明図である。
【図８】二輪車用空気入りタイヤの接地で、別の接地面形状を示す説明図である。
【符号の説明】
【０１６１】
１０  二輪車用空気入りタイヤ
１４  カーカス
１６  スパイラルベルト
１８  トレッド部
２２  軟質ゴム部
２３  軟質ゴム部
２６  センター側ゴム部
２８  低損失正接ゴム部
３２  軟質ゴム部
３６  センター側ゴム部
４０  幅広ベルト
４４  緩衝ゴム層
Ｌ    トレッド展開幅
Ｔ    トレッド端
Ｗ    展開幅
【図１】
0005179802.tif 000003
【図２】
0005179802.tif 000004
【図３】
0005179802.tif 000005
【図４】
0005179802.tif 000006
【図５】
0005179802.tif 000007
【図６】
0005179802.tif 000008
【図７】
0005179802.tif 000009
【図８】
0005179802.tif 000010